(57)【要約】【課題】コストダウンを図る。【解決手段】サーボライタ２は、スピンドルモータ４、磁気ヘッド５が取り付けられたサスペンションアーム６、制御部、ベースボックス８、取付シャーシ９、フィルタカバー１０を備える。取付シャーシ９に、それぞれ２個のスピンドルモータ４及びロードモータ１５を取り付ける。取付シャーシ９に、仕切り板１９を取り付ける。仕切り板１９を取付シャーシ９に取り付けると、２個のスピンドルモータ４のうちの一方のスピンドルモータ４の回転により発生する空気流が、他のスピンドルモータ４にセットされたフレキシブル磁気ディスク３に流れ込まないように遮断される。フィルタカバー１０は、サーボライト中に、フレキシブル磁気ディスク３、スピンドルモータ４、サスペンションアーム６、ロードモータ１５を覆う。【選択図】図３
2007133934.tif 000002
【特許請求の範囲】
【請求項１】
ディスクを回転させる複数のスピンドルモータと、
前記複数のスピンドルモータにより回転された複数のディスクにサーボ信号を記録する複数の磁気ヘッドと、を備えたサーボライタであって、
前記複数のスピンドルモータが取り付けられる取付シャーシを備えたことを特徴とするサーボライタ。
【請求項２】
前記複数のスピンドルモータの隣接する２つのスピンドルモータの一方の回転により発生する空気流が、他方により回転される前記ディスクに流れ込まないように遮断する遮断部を設けたことを特徴とする請求項１記載のサーボライタ。
【請求項３】
前記複数のスピンドルモータの隣接する２つのスピンドルモータの一方の回転により発生する空気流が、他方により回転される前記ディスクに流れ込まないように、前記複数のスピンドルモータをそれぞれ異なる高さ位置で前記取付シャーシに取り付けたことを特徴とする請求項１または２記載のサーボライタ。
【請求項４】
前記ディスクと前記スピンドルモータと前記磁気ヘッドとを覆うフィルタカバーを備えたことを特徴とする請求項１ないし３いずれか１つ記載のサーボライタ。
【請求項５】
回転されたディスクにサーボ信号を記録するサーボライト方法において、
取付シャーシに複数のスピンドルモータを取り付けて、前記複数のスピンドルモータそれぞれで回転された複数のディスクにサーボ信号を記録することを特徴とするサーボライト方法。
【請求項６】
請求項１ないし４いずれか１つ記載のサーボライタでサーボ信号を記録したことを特徴とするディスク。
【発明の詳細な説明】
【技術分野】
【０００１】
本発明は、フレキシブル磁気ディスクにサーボ信号を記録するサーボライタ及び方法、並びにディスクに関するものである。
【背景技術】
【０００２】
ディスクドライブ装置に装填されるフレキシブル磁気ディスクには、ディスクドライブ装置の記録／再生ヘッドの位置を制御するためのサーボ信号が記録されている（例えば、特許文献１参照）。このサーボ信号は、サーボライタで記録される。サーボライタは、スピンドルモータと書込みヘッド（本件の磁気ヘッド）とを備え、スピンドルモータでフレキシブル磁気ディスクを回転させ、回転させた状態のフレキシブル磁気ディスクに書込みヘッドによりサーボ信号を記録する。
【０００３】
近年では、フレキシブル磁気ディスクの普及が高まり、その需要が増加しており、生産効率の向上及び低価格化を図るために、短時間でより多くのフレキシブル磁気ディスクにサーボ信号を記録することが求められている。
【特許文献１】特開平１１−６６７７７号公報
【発明の開示】
【発明が解決しようとする課題】
【０００４】
しかしながら、サーボライタを多数設置した場合には、短時間で多くのフレキシブル磁気ディスクにサーボ信号を記録することができるが、サーボライタの購入費用等により、フレキシブル磁気ディスク自体のコストアップになるという問題があった。
【０００５】
本発明は、上記課題を解決するためになされたものであり、コストダウンを図ることができるサーボライタ及び方法、並びにディスクを提供することを目的とする。
【課題を解決するための手段】
【０００６】
上記目的を達成するために、本発明のサーボライタは、ディスクを回転させる複数のスピンドルモータと；前記複数のスピンドルモータにより回転された複数のディスクにサーボ信号を記録する複数の磁気ヘッドと；を備えたサーボライタであって、前記複数のスピンドルモータが取り付けられる取付シャーシを備えたことを特徴とする。なお、前記ディスクとしては、フレキシブル磁気ディスク、ハードディスク等が挙げられる。また、前記複数のスピンドルモータに電力を供給する電源と、前記複数のスピンドルモータ及び前記複数の磁気ヘッドを制御する制御手段と、を備えることが好ましい。
【０００７】
また、前記複数のスピンドルモータの隣接する２つのスピンドルモータの一方の回転により発生する空気流が、他方により回転される前記ディスクに流れ込まないように遮断する遮断部を設けることが好ましい。
【０００８】
さらに、前記複数のスピンドルモータの隣接する２つのスピンドルモータの一方の回転により発生する空気流が、他方により回転される前記ディスクに流れ込まないように、前記複数のスピンドルモータをそれぞれ異なる高さ位置で前記取付シャーシに取り付けることが好ましい。
【０００９】
また、前記ディスクと前記スピンドルモータと前記磁気ヘッドとを覆うフィルタカバーを備えることが好ましい。なお、前記フィルタカバーを構成する素材としては、０．１５μｍの粒子を９９．９９９５％以上除去することができるウルパ（ＵＬＰＡ）フィルタ、０．３μｍの粉塵を９９．９７％以上の効率で除去することができるヘパフィルタ等が挙げられる。
【００１０】
また、本発明のサーボライト方法は、回転されたディスクにサーボ信号を記録するサーボライト方法において、取付シャーシに複数のスピンドルモータを取り付けて、前記複数のスピンドルモータそれぞれで回転された複数のディスクにサーボ信号を記録することを特徴とする。
【００１１】
また、本発明のディスクは、上記したサーボライタでサーボ信号を記録したことを特徴とする。
【発明の効果】
【００１２】
本発明のサーボライタによれば、ディスクを回転させる複数のスピンドルモータと；複数のスピンドルモータにより回転された複数のディスクにサーボ信号を記録する複数の磁気ヘッドと；複数のスピンドルモータが取り付けられる取付シャーシと；を備えたから、１個の取付シャーシに１個のスピンドルモータを取り付けたサーボライタに比べて、複数のディスクにサーボ信号を記録するために必要な部材（例えば、電源や制御装置等）の数量を削減することができる。
【００１３】
また、複数のスピンドルモータの隣接する２つのスピンドルモータの一方の回転により発生する空気流が、他方により回転されるディスクに流れ込まないように遮断する遮断部を設けたから、他のスピンドルモータの回転により発生する空気流が流れ込むことによって起こるサーボライト不良を確実に防止することができる。
【００１４】
さらに、本発明のサーボライト方法によれば、回転されたディスクにサーボ信号を記録するサーボライト方法において、取付シャーシに複数のスピンドルモータを取り付けて、複数のスピンドルモータそれぞれで回転された複数のディスクにサーボ信号を記録するから、１個の取付シャーシに取り付けられた１個のスピンドルモータにより回転されるディスクにサーボ信号を記録するサーボライト方法に比べて、少ない部材数量（例えば、電源や制御装置等）で複数のディスクにサーボライトすることができる。
【００１５】
また、本発明のディスクによれば、上記したサーボライタでサーボ信号を記録したから、１個の取付シャーシに１個のスピンドルモータを取り付けたサーボライタでサーボ信号を記録したものに比べて、ディスク単体のコストダウンを図ることができる。
【発明を実施するための最良の形態】
【００１６】
図１及び図２に示すように、本発明を実施したサーボライタ２は、フレキシブル磁気ディスク３にサーボ信号を記録するものであり、スピンドルモータ４、磁気ヘッド５が先端部に取り付けられたサスペンションアーム６、制御部７、ベースボックス８、取付シャーシ９、フィルタカバー１０を備える。スピンドルモータ４及びサスペンションアーム６は、それぞれ２個設けられている。
【００１７】
フレキシブル磁気ディスク３は、両面に磁性層がコーティングされており、中心部にディスク孔３ａが形成されている。フレキシブル磁気ディスク３の中心部には、金属製のセンターコア１１が両面テープ等により取り付けられている。センターコア１１は、円盤状に形成されており、中心部には挿通孔１１ａが形成され、下面にはスピンドルヘッド１７と係合するためのリング状の係合凸部が形成されている。なお、フレキシブル磁気ディスク３の上下両面または下面を保持するディスク保持ケースを設けるようにしてもよい。
【００１８】
磁気ヘッド５は、フレキシブル磁気ディスク３にサーボ信号を記録するためのものであり、サスペンションアーム６の先端部に取り付けられている。磁気ヘッド５は、ヘッド本体を備え、ヘッド本体は、フレキシブル磁気ディスク３に記録するデータに対応する電気信号を磁界に変換する記録素子から構成されている。磁気ヘッド５は、接続ワイヤ（図示せず）により制御部７に接続されており、制御部７により駆動が制御され、フレキシブル磁気ディスク３にサーボ信号の記録を行う。
【００１９】
サスペンションアーム６は、弾性変形可能な薄板金属製の上ロードビーム１３及び下ロードビーム１４を備える。上ロードビーム１３及び下ロードビーム１４は、ＶＣＭ（ヴォイスコイルモータ）から構成されるロードモータ１５のモータシャフト１５ａに、回転自在に取り付けられている。ロードモータ１５の駆動により上ロードビーム１３及び下ロードビーム１４は回転する。上ロードビーム１３の下面先端部及び下ロードビーム１４の上面先端部には、磁気ヘッド５が取り付けられている。サスペンションアーム６は、回転させると、上ロードビーム１３と下ロードビーム１４との間にフレキシブル磁気ディスク３が入り込む機構により、フレキシブル磁気ディスク３を挟み込む状態となるように配設されている。これにより、フレキシブル磁気ディスク３の上下両面にサーボ信号を記録することができる。ロードモータ１５は、制御部７に接続されており、制御部７により駆動が制御される。ロードモータ１５は、詳しくは後述するように、取付シャーシ９に取り付けられている。
【００２０】
なお、磁気ヘッド５は、弾性変形する上ロードビーム１３及び下ロードビーム１４により、常に一定の力でフレキシブル磁気ディスク３に押し付けられる方向に付勢される。
【００２１】
スピンドルモータ４は、フレキシブル磁気ディスク３を回転させるためのものであり、モータ本体１６とスピンドルヘッド１７と取付板１８とを備える。モータ本体１６は、制御部７に接続されており、制御部７により駆動が制御される。モータ本体１６が駆動すると、スピンドルヘッド１７が回転する。スピンドルモータ４は、詳しくは後述するように、取付シャーシ９に取り付けられている。
【００２２】
スピンドルヘッド１７は、円柱状に形成されており、上面には、フレキシブル磁気ディスク３のセンターコア１１の係合凸部が挿入される係合凹部１７ａが形成されている。スピンドルヘッド１７の内部には、磁石が１２０°ピッチで３個埋め込まれており、係合凹部１７ａにセンターコア１１の係合凸部を挿入してセンターコア１１とスピンドルヘッド１７とを係合させ位置決めする（以下、フレキシブル磁気ディスク３をスピンドルヘッド１７にセットと称する）と、磁石の磁気により金属製のセンターコア１１が保持される。なお、スピンドルヘッド１７に埋め込む磁石の個数は適宜変更可能であり。リング状に連続して構成した磁石を用いてもよい。
【００２３】
フレキシブル磁気ディスク３にサーボライト（サーボ信号の記録）するときには、制御部７は、フレキシブル磁気ディスク３を３６００ｒｐｍで回転させるように、モータ本体１６の駆動を制御する。
【００２４】
ベースボックス８は箱状に形成され、内部には、制御部７や電源等の多数の電気部品が収納されている。ベースボックス８の前面には、サーボライタ２を操作するための電源ボタンやスタートボタン等の各種操作ボタンが設けられた操作パネル８ａが設けられている。ベースボックス８の上面には、取付シャーシ９が固定されている。
【００２５】
取付シャーシ９は、板状に形成され、スピンドルモータ４のモータ本体１６が挿入される挿入孔９ａと、ロードモータ１５を位置決めするための位置決め凸部９ｂとが形成されている。挿入孔９ａ及び位置決め凸部９ｂは、それぞれ２個形成されている。
【００２６】
取付シャーシ９にスピンドルモータ４を取り付ける場合には、モータ本体１６を挿入孔９ａに挿入した後、取付板１８をビス等により取り付ける。また、取付シャーシ９にロードモータ１５取り付ける場合には、ロードモータ１５を位置決め凸部９ｂに位置決めした後、ビス等により取り付ける。なお、スピンドルモータ４及びロードモータ１５を取付シャーシ９に取り付ける方法は、ビスによる取り付けに限らず、適宜変更可能である。
【００２７】
取付シャーシ９上面の前後方向の略中心部には、仕切り板（遮断部）１９が取り付けられている。仕切り板１９を取付シャーシ９に取り付けると、２個のスピンドルモータ４のうちの一方のスピンドルモータ４の回転により発生する空気流が、他のスピンドルモータ４にセットされたフレキシブル磁気ディスク３に流れ込まないように遮断される。
【００２８】
フィルタカバー１０は、サーボライト中に、フレキシブル磁気ディスク３、スピンドルモータ４、サスペンションアーム６、ロードモータ１５を覆うためのものであり、ウルパフィルタから構成されている。
【００２９】
フィルタカバー１０は、カバー移動機構２０により、取付シャーシ９の上面に密着して、フレキシブル磁気ディスク３、スピンドルモータ４、磁気ヘッド５、サスペンションアーム６、ロードモータ１５を覆う覆い位置と、この覆い位置から退避して各部材を露呈する露呈位置との間で移動可能に設けられている。カバー移動機構２０は、制御部７に接続されており、制御部７により駆動が制御される。本実施形態では、制御部７は、フレキシブル磁気ディスク３をスピンドルヘッド１７にセットするとき、及びフレキシブル磁気ディスク３をスピンドルヘッド１７から取り外すときには、フィルタカバー１０が露呈位置に位置し、サーボライト中には、フィルタカバー１０が覆い位置に位置するようにカバー移動機構２０の駆動を制御する。なお、サーボライタ２の稼働を停止しているときには、フィルタカバー１０は覆い位置に位置する。これにより、サーボライタ２の稼働停止中に、スピンドルモータ４、磁気ヘッド５、サスペンションアーム６、ロードモータ１５に塵埃が付着することを防止することができる。
【００３０】
フレキシブル磁気ディスク３をスピンドルヘッド１７にセットすると、制御部７は、カバー移動機構２０の駆動を制御して、フィルタカバー１０を露呈位置から覆い位置まで移動させる。制御部７は、フィルタカバー１０が覆い位置まで移動したことに応答して、スピンドルモータ４、磁気ヘッド５及びロードモータ１５を駆動して、フレキシブル磁気ディスク３へのサーボライト（サーボ信号の記録）を開始する。そして、サーボライトが終了すると、制御部７は、カバー移動機構２０の駆動を制御して、フィルタカバー１０を覆い位置から露呈位置まで移動させる。
【００３１】
上記のように構成されたサーボライタ２の作用について説明する。本発明を実施したサーボライタ２では、取付シャーシ９に、２個のスピンドルモータ４及びロードモータ１５が取り付けられており、２個のスピンドルヘッド１７それぞれにセットされた２枚のフレキシブル磁気ディスク３に同時にサーボ信号を記録する。
【００３２】
先ず、フレキシブル磁気ディスク３をスピンドルヘッド１７にセットすると、制御部７は、カバー移動機構２０の駆動を制御して、フィルタカバー１０を露呈位置から覆い位置まで移動させる。制御部７は、フィルタカバー１０が覆い位置まで移動したことに応答して、スピンドルモータ４、磁気ヘッド５及びロードモータ１５を駆動して、フレキシブル磁気ディスク３へのサーボライト（サーボ信号の記録）を開始する。サーボライト中には、仕切り板１９により、２個のスピンドルモータ４のうちの一方のスピンドルモータ４の回転により発生する空気流が、他のスピンドルモータ４にセットされたフレキシブル磁気ディスク３に流れ込まないように遮断される。
【００３３】
そして、サーボライトが終了すると、制御部７は、カバー移動機構２０の駆動を制御して、フィルタカバー１０を覆い位置から露呈位置まで移動させる。
【００３４】
このように、本発明を実施したサーボライタ２は、１個の取付シャーシ９に、それぞれ２個のスピンドルモータ４及びロードモータ１５を取り付けたから、それぞれ１個の制御部７、ベースボックス８、取付シャーシ９及び電源で２枚のフレキシブル磁気ディスク３にサーボライトすることができ、１個の取付シャーシに１個のスピンドルモータ４及びロードモータ１５を取り付けたサーボライタに比べて、２枚のフレキシブル磁気ディスク３にサーボライトするために必要な制御部７、ベースボックス８、取付シャーシ９及び電源の部品数を削減することができ、これにより、フレキシブル磁気ディスク３単体のコストダウンを図ることができる。
【００３５】
また、１個の取付シャーシ９に、それぞれ２個のスピンドルモータ４及びロードモータ１５が取り付けたから、１個の取付シャーシに１個のスピンドルモータ４及びロードモータ１５を取り付けたサーボライタに比べて、２枚のフレキシブル磁気ディスク３にサーボライトするために必要なサーボライタ設置スペースを小さくすることができる。
【００３６】
さらに、仕切り板１９により、サーボライト中に、２個のスピンドルモータ４のうちの一方のスピンドルモータ４の回転により発生する空気流が、他のスピンドルモータ４にセットされたフレキシブル磁気ディスク３に流れ込まないように遮断するから、２個のスピンドルモータ４のうちの一方にセットされたフレキシブル磁気ディスク３に、他方のスピンドルモータ４の回転により発生する空気流が流れ込むことによって起こるサーボライト不良を確実に防止することができる。
【００３７】
また、サーボライト中には、フィルタカバー１０により、フレキシブル磁気ディスク３、スピンドルモータ４、磁気ヘッド５、サスペンションアーム６、ロードモータ１５を覆うから、サーボライト中に、スピンドルモータ４、磁気ヘッド５、サスペンションアーム６、ロードモータ１５に塵埃が付着することを防止することができる。
【００３８】
なお、上記実施形態では、取付シャーシ９に、それぞれ２個のスピンドルモータ４及びロードモータ１５を取り付けたが、取付シャーシ９に取り付けるスピンドルモータ４及びロードモータ１５の個数は適宜変更可能であり、スピンドルモータ４及びロードモータ１５の個数の変更に応じて、仕切り板１９の個数も変更されるものである。
【００３９】
また、上記実施形態では、フィルタカバー１０を、ウルパフィルタから構成したが、これに限定されることなく、例えば、ヘパフィルタ等から構成してもよい。
【００４０】
さらに、上記実施形態では、１個のスピンドルモータ４に１枚のフレキシブル磁気ディスク３をセットするサーボライタ２に本発明を実施したが、１個のスピンドルモータ４に複数枚のフレキシブル磁気ディスク３をセットするサーボライタにも実施可能であり、この場合には、サスペンションアーム６を、フレキシブル磁気ディスク３の枚数分設ける。また、１個のスピンドルモータ４に複数枚のフレキシブル磁気ディスク３をセットするサーボライタでは、複数枚のフレキシブル磁気ディスク３それぞれの間にスペーサを配設することが好ましい。
【００４１】
また、上記実施形態では、フレキシブル磁気ディスク３にサーボ信号を記録するサーボライタ２に本発明を実施したが、ハードディスクにサーボ信号を記録するサーボライタにも実施可能である。
【００４２】
図４に他の実施形態を示す。上記実施形態のものと同様の構成部材には同一の符号を付し、その詳細な説明を簡略化する。この実施形態では、取付シャーシ９には、仕切り板１９が取り付けられておらず、その代わりに、取付シャーシ９には、図４における右側のスピンドルモータ４を支持する支持シャフト２１と、図４における右側のロードモータ１５を支持する支持台２２と、が取り付けられている。支持シャフト２１は２本設けられている。
【００４３】
支持シャフト２１は、スピンドルモータ４を支持したときに、支持したスピンドルモータ４及びこのスピンドルモータ４にセットされたフレキシブル磁気ディスク３の回転により発生する空気流が、図４における左側のスピンドルモータ４及びこのスピンドルモータ４にセットされたフレキシブル磁気ディスク３に流れ込まないような長さで形成されている。
【００４４】
支持台２２は、ロードモータ１５を支持したときに、磁気ヘッド５により、右側のスピンドルモータ４にセットされたフレキシブル磁気ディスク３にサーボ信号を記録することができるような長さで形成されている。支持台２２の上面には、ロードモータ１５を位置決めする位置決め凸部２２ａが形成されている。
【００４５】
支持シャフト２１にスピンドルモータ４を取り付ける場合には、取付板１８を支持シャフト２１に載せ、取付板１８をビス等により支持シャフト２１に取り付ける。また、支持台２２にロードモータ１５取り付ける場合には、ロードモータ１５を位置決め凸部２２ａに位置決めした後、ビス等により取り付ける。なお、スピンドルモータ４及びロードモータ１５を支持シャフト２１及び支持台２２に取り付ける方法は、ビスによる取り付けに限らず、適宜変更可能である。
【００４６】
このように、支持シャフト２１で支持した右側のスピンドルモータ４及びこのスピンドルモータ４にセットされたフレキシブル磁気ディスク３の回転により発生する空気流が、左側のスピンドルモータ４及びこのスピンドルモータ４にセットされたフレキシブル磁気ディスク３に流れ込まないように、２個のスピンドルモータ４を取り付けたから、２個のスピンドルモータ４のうちの一方にセットされたフレキシブル磁気ディスク３に、他方のスピンドルモータ４の回転により発生する空気流が流れ込むことによって起こるサーボライト不良を確実に防止することができる。
【００４７】
なお、上記実施形態では、取付シャーシ９に支持シャフト２１と支持台２２とを取り付けることにより、２個のスピンドルモータ４の取付高さ位置を変えたが、これに限定されることなく、例えば、取付シャーシ９を２段の段差形状にすることにより、２個のスピンドルモータ４の取付高さ位置を変えるようにしてもよい。
【図面の簡単な説明】
【００４８】
【図１】本発明を実施したサーボライタを示す斜視図である。
【図２】サーボライタを示す分解斜視図である。
【図３】サーボライタを示す側面断面図である。
【図４】支持シャフトと支持台とを設け、２個のスピンドルモータの取付高さ位置を変えた実施形態のサーボライタを示す側面断面図である。
【符号の説明】
【００４９】
２  サーボライタ
３  フレキシブル磁気ディスク
４  スピンドルモータ
５  磁気ヘッド
６  サスペンションアーム
７  制御部
９  取付シャーシ
９ａ  挿入孔
９ｂ  位置決め凸部
１０  フィルタカバー
１３  上ロードビーム
１４  下ロードビーム
１５  ロードモータ
１６  モータ本体
１７  スピンドルヘッド
１８  取付板
１９  仕切り板（遮断部）
２０  カバー移動機構
２１  支持シャフト
２２  支持台
【図１】
2007133934.tif 000003
【図２】
2007133934.tif 000004
【図３】
2007133934.tif 000005
【図４】
2007133934.tif 000006